(57)【特許請求の範囲】
【請求項１】
非電導非金属製とした鍋に発熱体の材料ペーストをコーティングして焼成した発熱体、および鍋を収容する本体側に設けられて前記発熱体を交番磁界により誘導発熱させる加熱コイル、よりなる電磁誘導加熱源、あるいはこれに加え、鍋の所定域外回りに対向した放熱板の外回りに巻いたヒータ、を備え、炊飯や保温を行う電気炊飯器の炊飯方法において、
電気誘導加熱源の発熱体は、鍋の外面の底部の中央域および周辺域と、鍋の内面の中央域および周辺域の間のコーナ部域とから加熱し、ヒータは、鍋の胴部に対向した位置から加熱することにより炊飯を行うことを特徴とする電気炊飯器の炊飯方法。
【請求項２】
非電導非金属製とした鍋に発熱体の材料ペーストをコーティングして焼成した発熱体、および鍋を収容する本体側に設けられて前記発熱体を交番磁界により誘導発熱させる加熱コイル、よりなる電磁誘導加熱源、あるいはこれに加え、鍋の所定域外回りに対向した放熱板の外回りに巻いたヒータ、を備え、炊飯や保温を行う電気炊飯器において、
電気誘導加熱源の発熱体は、鍋の外面の底部の中央域および周辺域と、鍋の内面の中央域および周辺域の間のコーナ部域とに設け、ヒータは、鍋の胴部に対向した位置に設けたことを特徴とする電気炊飯器。 
【発明の詳細な説明】
【技術分野】
【０００１】
本発明は、土鍋などの非導電非金属製とした鍋に設けた発熱体、および鍋を収容する本体側に設けられて前記発熱体を交番磁界により誘導発熱させる加熱コイル、よりなる加熱源、あるいはこれに加え、鍋の所定域外回りに対向した放熱板の外回りに巻いたヒータ、を備え、炊飯や保温を行う電気炊飯器に関するものである。
【背景技術】
【０００２】
土鍋などの非導電非金属製とした鍋の底部の外面の中央域と周辺域とに設けた発熱体、および鍋を収容する本体側に設けられて前記発熱体を交番磁界により誘導発熱させる加熱コイル、よりなる加熱源、鍋の胴部域外回りに対向した放熱板の外回りに巻いたヒータ、を備え、炊飯や保温を行う電気炊飯器は既に知られている（例えば、特許文献１、２参照。）。
【０００３】
また、非電導でないが、非金属製の鍋で加熱コイルからの交番磁界によって発熱する発熱体を利用して炊飯や保温を行う電気炊飯器は既に知られている（例えば、特許文献３参照。）。特許文献３が開示する電気炊飯器は、非金属製の鍋として、コークスなどの高炭素含有物粉粒を１０００〜３０００℃の高温下で凝結させた焼結体から削り出した、適度な導電性と誘電性とを有する容器本体と、セラミックス前駆体を外層面に載置して焼結固着したセラミックス外層体とから構成したものを採用している。これによって、容器本体はセラミックス外層体によって外側から締め付けられて破損に対する十分な耐性を有したものとなり、鍋を収容する本体側に鍋の底部中央域と周辺域とに対応して設けた加熱コイルからの交番磁界によって鍋の内面をなしている容器本体が発熱し、水および米、あるいはご飯を直接加熱して炊飯や保温が行える。
【０００４】
また、別に、非電導非金属製の鍋で調理を行うのに、底部内面全域に発熱体を設けて加熱コイルからの交番磁界によって発熱させるようにした土鍋や加熱調理容器も知られている（例えば、特許文献４、５参照。）。
【特許文献１】特開２００７−２４４５５８号公報
【特許文献２】特開２００７−２６０３２４号公報
【特許文献３】特開２００７−４４２５５号公報
【特許文献４】特開２００７−１３５６３５号公報
【特許文献５】特開２００７−２６０２１３号公報
【発明の開示】
【発明が解決しようとする課題】
【０００５】
ところで、特許文献１、２、４、５に開示された土鍋などの非導電非金属製鍋は、熱伝導性が極端に低く、土鍋ではアルミニウムの１／２００と小さく、しかも厚いので蓄熱性がよく、熱を篭らせ易い特性を有し、単独で直火で加熱して使用するような場合は、ご飯を美味しく炊き上げやすいし、炊飯後の保温性がよい特徴がある。一方、特許文献１、２に開示のような電気炊飯器で使用する鍋のように、保温時は上部で熱が逃げやすいことに対し、鍋の底部側よりも側部側を厚肉にすることで蓄熱性を高め鍋上部での保温性を向上したものでは、炊飯後に鍋を取り出し非金属製の蓋をして食卓の上に置くだけでも、食事の間はもとよりそれ以上に十分な保温ができ、ご飯を美味しく食せるようになった。このような特徴は特許文献１に記載のような比較的薄い金属製の鍋では全く得られないものである。併せ、特許文献１、２は、非金属製鍋の底部に比して厚肉とした側部側の高い蓄熱性、炊飯や保温の制御温度に達するとそれを維持することもできることを利用して、本体の内装ケースの内周に面した放熱板の外周面にヒータを巻き付け、鍋の厚肉部を輻射加熱して上記炊飯や保温の制御温度を確保する技術も開示している。
【０００６】
しかし、特許文献１、２に開示の電気炊飯器では、鍋の低い熱伝導性から炊飯や保温時の加熱効率が低く、炊飯時間が長くなりがちであるし、本体の内装ケースに耐熱性も必要となる。しかも、炊飯独特の鍋外面の特定の複数域に設けた発熱体やヒータを発熱させて鍋の内側に熱伝導させて炊飯や保温を行う関係から、炊飯工程での昇温操作時に、制御上目標となる制御温度ないしは、温度制御の基になる鍋の検知温度に対し、鍋の厚肉部である側部の昇温が他に比し遅れやすいなど、その時々で鍋内各部で温度むらが発生することを経験し、炊きむらの原因になりやすい。
【０００７】
特許文献４に開示の土鍋や特許文献５に開示の加熱調理容器は、底部の内面に発熱体を設けて発熱させるので、加熱効率が高く、かつ保温性がよいので熱効率が高く省エネが図れる。しかし、直火加熱のような調理方式には適しているが、通電制御を伴い自動炊飯したり、炊飯後に保温に移行したりするような電気炊飯器には到底向かない構造、形態であるし、電気炊飯器に前記利点を活かすための技術は開示されていないし、示唆する記載もない。
【０００８】
特許文献３に開示の容器本体は、非金属製でありながら電導体であることによって加熱コイルからの交番磁界によって発熱する誘電作用を発揮し、外回りからの補強と併せ、電気炊飯器に実用して加熱効率、熱効率よくほぼ均等に加熱して炊飯や保温ができるとしているが、炊飯鍋として、コークスなどの高炭素含有物粉粒を１０００〜３０００℃の高温下で凝結させた焼結体から削り出した、適度な導電性と誘電性とを有する容器本体と、セラミックス前駆体を外層面に載置して焼結固着したセラミックス外層体とから構成したものを採用しているので、非常にコストの高いものとなっている。
【０００９】
本発明の目的は、単層で安価な非電導非金属製の鍋により、その断熱性による加熱への弱点を自動炊飯や保温に適して鍋内面に設けた発熱体によって補償し、炊きむらや保温むらがなくより美味しいご飯を炊飯し、より美味しく保温できる電気炊飯器の炊飯方法とそれに用いる電気炊飯器を提供することにある。
【課題を解決するための手段】
【００１０】
上記のような目的を達成するため、本発明の電気炊飯器の炊飯方法は、非電導非金属製とした鍋に発熱体の材料ペーストをコーティングして焼成した発熱体、および鍋を収容する本体側に設けられて前記発熱体を交番磁界により誘導発熱させる加熱コイル、よりなる電磁誘導加熱源、あるいはこれに加え、鍋の所定域外回りに対向した放熱板の外回りに巻いたヒータ、を備え、炊飯や保温を行う電気炊飯器の炊飯方法において、電気誘導加熱源の発熱体は、少なくとも鍋の内面の所定の部分域を含んだ、所定の複数域から加熱することにより炊飯を行うことを基本構成としている。
【００１１】
このような基本構成では、非電導非金属製の鍋での炊飯や保温を複数域に設けた発熱体の、鍋を収容する本体側に設けた加熱コイルからの交番磁界によって発熱させて行うのに、鍋の内面に１つまたはそれ以上設定した所定の部分域に設けた発熱体の数に応じて、鍋の熱伝導性の低さを補う直接加熱や、活発な泡立ちによる対流の促進を、炊飯や保温に適した位置にて達成しながら、水が無くなる時点以降で鍋内面発熱体が過剰発熱となりやすいことについては、オン、オフのデューティ比を高い分解能で制御して発熱量を十分に落とし、あるいはオフするなどにより対応し、蒸らしを経た炊飯の終了や保温を、鍋外面発熱体や鍋外回りのヒータとの協働、ないしは単独使用にて適正加熱し遂行できる。 
【００１２】
このような方法の基本構成は、非電導非金属製とした鍋に発熱体の材料ペーストをコーティングして焼成した発熱体、および鍋を収容する本体側に設けられて前記発熱体を交番磁界により誘導発熱させる加熱コイル、よりなる電磁誘導加熱源、あるいはこれに加え、鍋の所定域外回りに対向した放熱板の外回りに巻いたヒータ、を備え、炊飯や保温を行う電気炊飯器において、電気誘導加熱源の発熱体は、少なくとも鍋の内面の所定の部分域を含んだ、所定の複数域に設けたことを基本構成とする電気炊飯器によって実現する。
【００１６】
本発明の電気炊飯器の炊飯方法および電気炊飯器は、特に、発熱体は、鍋の外面の底部の中央域および周辺域と、鍋の内面の中央域および周辺域の間のコーナ部域とから加熱し、ヒータは、鍋の胴部に対向した位置から加熱し、またはそうするように構成したことを特徴とする。
【００１７】
このような特徴では、基本構成の場合に加え、さらに、鍋の外面の底部の中央域と周辺域とに設けた発熱体からの従来通りの加熱に、鍋の内面の中央域および周辺域の間の発熱体による、鍋の熱伝導性の低さを補う直接加熱によって外面発熱体による加熱不足を補償しながら、局部的な泡の発生による対流の促進を図って加熱むらを解消することができる。
【００２２】
本発明のそれ以上の目的および特徴は、以下の詳細な説明および図面によって明らかになる。本発明の各特徴は、それ自体単独で、あるいは可能な限り種々の組み合わせで複合して採用することができる。
【発明の効果】
【００２３】
本発明の電気炊飯器とその炊飯方法によれば、単層で安価な非電導非金属製の鍋の内面に１つまたはそれ以上設定した所定の部分域に設けた発熱体の数に応じ、鍋の熱伝導性の低さを補う直接加熱や、活発な泡立ちによる対流の促進を、炊飯や保温に適した位置にて達成して、加熱効率、熱効率よく、均一加熱で炊飯をむらなく早期に進行させられ、水が無くなる時点以降で鍋内面発熱体が過剰発熱となりやすいことには、オン時間比を高い分解能で制御して発熱量を十分に落とし、あるいはオフして簡単に対応し、蒸らしを経た炊飯の終了や保温を、鍋外面発熱体や鍋外回りのヒータなどとの協働、ないしは単独使用にて、焦げ付きなどのない適正加熱で達成できる。特に、鍋の外面の底部の中央域と周辺域とに設けた発熱体からの従来通りの加熱に、鍋の内面の中央域および周辺域の間の発熱体による、鍋の熱伝導性の低さを補う直接加熱によって外面発熱体による加熱不足を補償しながら、局部的な泡の発生による対流の促進を図って加熱むらを解消することができる。
【発明を実施するための最良の形態】
【００２４】
以下、本発明に係る電気炊飯器の実施の形態について、図１、図２を参照しながら詳細に説明し本発明の理解に供する。なお、以下の説明は本発明の具体例であって、特許請求の範囲の記載の内容を限定するものではない。
【００２５】
本実施の形態の電気炊飯器は図１、図２に個別に示す各例のように、土鍋などの非電導非金属製の鍋１と、この鍋１を着脱できるように収容した本体２と、本体２および鍋１を開閉する蓋体３と、鍋１に設けた発熱体４および本体２の側に設けられて発熱体４を交番磁界により誘導発熱させる加熱コイル５からなる加熱源６と、あるいはこれに加え、鍋１の所定域外回りに対向した放熱板７の外回りに巻いたヒータ８、を備え、例えば、加熱コイル５へのＩＧＢＴ素子を介した高周波通電を、鍋１の温度を検知する図１で代表して示す温度センサ９からの温度情報を基にインバータ制御して、あるいはこれにヒータ８への通電制御を加え、設定される調理モードの１つとしての炊飯、ないしは炊飯および保温を行う。
【００２６】
非電導非金属製の鍋１は主として陶土を焼成したものでよいがセラミック類も含み、既に知られる種々のものを採用することができる。加熱源６の発熱体４は加熱コイル５からの交番磁界によって渦電流を発生し発熱する導電層であり、鍋１の外面などに設けた１０〜数十μｍ程度の銀ペーストの印刷などによる塗布層、銀箔の貼り合わせ層、あるいは銀の蒸着層、埋設層などでよい。しかし、その導電材料や層形成の方法は自由に選択できる。
【００２７】
既述したように、非金属製の鍋１は、保温性に優れるも熱伝導性が低い。この特性を炊飯および保温の両面に生かすのに、本出願人は、鍋１の底部１ａ側よりも側部１ｂ側を厚肉にすることで蓄熱性を高め鍋１上部での保温性を向上する技術を提案し、炊飯後に鍋を取り出し非金属製の蓋をして食卓の上に置くだけでも、食事の間はもとよりそれ以上に十分な保温ができ、ご飯を美味しく食せるようになった。併せ、非金属製鍋１の底部１側に比して厚肉とした側部２側の高い蓄熱性、炊飯や保温の制御温度に達するとそれを維持することもできることを利用して、図１に見られるように、本体２の内装ケース２ａの内周に面した放熱板７の外周面にヒータ８を巻き付け、鍋１の厚肉部を輻射加熱して温度補償し、鍋１の外面の底部の中央域と周辺域とに設けた発熱体４ａ、４ｂと共同して上記炊飯や保温の制御温度を確保する技術を先に提案している。
【００２８】
しかし、鍋１の低い熱伝導性から炊飯や保温時の加熱効率が低く、炊飯時間が長くなりがちであるし、本体２の内装ケース２ａに耐熱性も必要となる。しかも、炊飯独特の鍋１外面の特定の複数域に設けた発熱体４ａ、４ｂやヒータ８を発熱させて鍋１の内側に熱伝導させて炊飯や保温を行う関係から、炊飯工程での昇温操作時に、制御上目標となる制御温度ないしは、温度制御の基になる鍋の検知温度に対し、鍋１の厚肉部である側部の昇温が他に比し遅れやすいなど、その時々で鍋内各部で温度むらが発生することを経験し、炊きむらの原因になりやすい。
【００２９】
これに対応するのに、本実施の形態では、まず、図１、図２に個別に示す各例のように、電気誘導加熱源の発熱体４は、少なくとも鍋１の内面の所定の部分域を含んだ、所定の複数域から加熱することにより炊飯を行う。これによると、非電導非金属製の鍋１での炊飯や保温を複数域に設けた発熱体４の、鍋１を収容する本体２側に設けた加熱コイル５からの交番磁界によって発熱させて行うのに、鍋１の内面に１つまたはそれ以上設定した所定の部分域に設けた発熱体４の数に応じて、鍋１の熱伝導性の低さを補う直接加熱や、活発な泡立ちによる対流の促進を、炊飯や保温に適した位置にて達成しながら、水が無くなる時点以降で鍋内面発熱体４が過剰発熱となりやすいことについては、オン、オフのデューティ比を高い分解能で制御して発熱量を十分に落とし、あるいはオフするなどにより対応し、蒸らしを経た炊飯の終了や保温を、鍋外面発熱体４や鍋１外回りのヒータ８との協働、ないしは単独使用にて適正加熱し遂行できる。
【００３０】
したがって、単層で安価な非電導非金属製の鍋１の内面に１つまたはそれ以上設定した所定の部分域に設けた発熱体４の数に応じ、鍋１の熱伝導性の低さを補う直接加熱や、活発な泡立ちによる対流の促進を、炊飯や保温に適した位置にて達成して、加熱効率、熱効率よく、均一加熱で炊飯をむらなく早期に進行させられ、水が無くなる時点以降で鍋内面発熱体４が過剰発熱となりやすいことには、オン時間比を高い分解能で制御して発熱量を十分に落とし、あるいはオフして簡単に対応し、蒸らしを経た炊飯の終了や保温を、鍋外面発熱体４や鍋１外回りのヒータ８などとの協働、ないしは単独使用にて、焦げ付きなどのない適正加熱で達成できる。
【００３１】
ここで、加熱コイル５のオン、オフインバータ制御の分解能は、ＩＧＢＴ素子を介した高周波印加制御において、０．１ｓｅｃオーダーで可能であるが、実験では、１．５ｓｅｃ程度の分解能設定で水が無くなり掛けてから蒸らし工程を経て炊飯を終了し、あるいは保温のための微加熱を行うのに、局部加熱や焦げ付きなどの問題を解消できた。
【００３２】
以上のような炊飯方法を遂行するのに電気炊飯器は、非電導非金属製とした鍋１に発熱体の材料ペーストをコーティングして焼成した発熱体４、および鍋１を収容する本体２側に設けられて前記発熱体４を交番磁界により誘導発熱させる加熱コイル５、よりなる電磁誘導加熱源６、あるいはこれに加え、鍋１の所定域外回りに対向した放熱板７の外回りに巻いたヒータ８、を備え、炊飯や保温を行う基本構成において、電気誘導加熱源６の発熱体４は、少なくとも鍋１の内面の所定の部分域を含んだ、所定の複数域に設けたものとして実現する。
【００３３】
ここで、本実施の形態では、図１に示す例のように、発熱体４は、鍋１の外面の底部の中央域および周辺域とに設けた発熱体４ａ、４ｂ、鍋１の内面の中央域および周辺域の間のコーナ部域に設けた発熱体４ｃとから加熱し、ヒータ８は、鍋１の胴部に対向した位置から加熱するものとすることができる。これにより、上記に加え、さらに、鍋１の外面の底部の中央域と周辺域とに設けた発熱体４ａ、４ｂからの従来通りの加熱に、鍋１の内面の中央域および周辺域の間の発熱体４ｃによる、鍋１熱伝導性の低さを補う直接加熱によって外面発熱体４ａ、４ｂによる加熱不足を補償しながら、局部的な泡１１の発生による図に矢印で示すような対流の促進を図って加熱むらを解消することができる。これを実現するのに、発熱体４ａ、４ｃは共に鍋１の底部の平面域とした配置例から、鍋１の底部下の平面域に配置した加熱コイル５ａと対向させて電磁誘導加熱源６ａとし、発熱体４ｂは加熱コイル５ｂに対向させて電磁誘導加熱源６ｂとしている。
【００３４】
このようにすると、電磁誘導加熱源６ａ、６ｂの単位で個別にオン、オフのデューティ比制御ができ、電磁誘導加熱原６ａでは発熱体４ａ、４ｃの単位でその配置位置、発熱面積、厚みなどによって、加熱コイル５ａからの同一強度の交番磁界に対する発熱位置、発熱域面積、単位面積当たりの発熱量を異ならせることができる。もっとも、同じ発熱体４ａ〜４ｃであっても、部分的に厚みを変えるなどして発熱成分の含有量を変化させて発熱量を部分的に異ならせることもできる。また、同じ加熱コイル５ａ、５ｂにおいても、部分的にコイル密度を変化させて対向する同じ発熱体４ａ〜４ｃに及ぶ交番磁界強度を部分的に変えることもできる。もっとも、発熱体４ａ、４ｂも個別の加熱コイル５と対向させて個別の電磁誘導加熱源６を構成することもできる。
【００３５】
また、本実施の形態では、前記とは別に、図２に示す例のように、発熱体４は、鍋１の内面の底部の中央域と周辺域とに設けた発熱体４ｄ、４ｅから加熱し、ヒータ８は、鍋１の胴部に対向した位置から加熱するようにしたものとすることができる。これにより、上記に加え、さらに、鍋１の熱伝導性の低さを補う直接加熱が、鍋１の内面の底部の中央域と周辺域とに設けた発熱体４ｄ、４ｅによって、部分域毎に炊飯に適し、かつ、十分となる条件が得られて、外面発熱体との協働なしに、活発な泡立ちによる対流の促進を伴い、加熱効率、熱効率よく均一加熱ができる。このように、発熱体４は、鍋１の内面の底部の中央域と周辺域とに設けるが、ヒータ８は、鍋１の胴部に対向した位置に設けると、これを従来通りに保温のためのメイン加熱にして、図１の例で代表して示す蓋体３側の放熱板１３に設けたヒータ１４からの内蓋１５を介した加熱と協働して利用し、内面発熱体４ｄ、４ｅにて加熱することによる過剰加熱の問題を解消することができる。
【００３６】
本例のように、鍋１の外面発熱体を無くすと、図１の例のように鍋１の外面に発熱体４ａ、４ｂを設けるために必要とした本体２の内装ケース２ａのＰＰＳなどの耐熱性樹脂や底部上面のセラミック製の耐熱プレート１６が不要になり、その分だけコストを低減できる利点がある。
【００３７】
本例の場合も、発熱体４ｄ、４ｅと加熱コイル５ａ、５ｂとが個別に対向し合う加熱源６ｃ、６ｄ毎の発熱量の個別調整、発熱体４ｄ、４ｅ毎の発熱位置、発熱域、発熱量の個別調整、発熱体４ｄ、４ｅ毎の部分的な発熱量の調整、加熱コイル５ａ、５ｂ毎の交番磁界強度の調整、加熱コイル５ａ、５ｂ毎の部分的な交番磁界強度の調整ができる。
【００３８】
いずれにしても、発熱体４と加熱コイル５とが対向し合う電磁誘導加熱源６を個別に配置することは、その配置位置毎の発熱条件の設定、発熱の経過時間に応じた調整が個別に間に行える。
【００３９】
さらに、発熱体４は、撥水性塗料またはおよび離型性塗料にてコーティングしてある。撥水性塗料によっては水の浸透による影響を防止でき、鍋１の内外面の別なく必須となる。このような撥水性塗料は、土鍋自体の水の浸透、漏水防止のために表面に施す釉薬によって代替することができる。また、離型性塗料によってはご飯粒などが粘着するのを防止でき、鍋１の内面に設ける発熱体４ｃ、４ｄ、４ｅに対して必須として有効である。
【００４０】
ここで、非電導非金属製の鍋１の熱伝導性が低く外面発熱体からの加熱に不向きな点や、蓄熱性を生かして保温時に上部で熱が不足し勝ちなことに対応し、かつ落下時強度を確保する上で、適正な１つの実施例を示せば、通常の土鍋では１０〜１５ｍｍ程度の均一厚さとするのが主流であるところを、ムライト−コージェライトを主成分とするセラミック製で、ガラス系の釉薬にて封孔処理をした鍋１につき、底部１ａ側の厚みを３〜４ｍｍ程度、側部１ｂ側の厚みを７〜８ｍｍ程度として十分な耐落下強度が得られたし、均一加熱による炊飯、均一保温が実現できた。このような寸法関係から鍋１の底部１ａ側と側部１ｂ側との厚みの差はほぼ２倍程度とすることができる。
【００４１】
さらに、鍋１の開口部は、側部から例えば内側に増厚させている。これにより、鍋１の開口部は前記蓋閉じ構造によっても外気の影響を受けて温度低下しやすいが、開口部の側部からの増厚分により蓄熱容量が増大して炊飯時の熱を蓄熱して外気による温度低下を抑制し、特に水分の多い炊飯直後の保温開始時でも、温度差による結露が発生するのを防止することができる。このような増厚はあまり大きいと昇温に時間が掛かりすぎるので６ｍｍ未満程度がよく、あまり小さいと蓄熱効果が得られないので３ｍｍ程度以上とするのが好適である。
【産業上の利用可能性】
【００４２】
本発明は単層で安価な非電導非金属製の鍋を採用した電気炊飯器に実用して、鍋の断熱性による加熱への弱点を自動炊飯や保温に適して鍋内面に設けた発熱体にて補償し、炊きむらや保温むらがなくより美味しいご飯を炊飯し、より美味しく保温できる。
【図面の簡単な説明】
【００４３】
【図１】本発明の実施の形態に係る電気炊飯器の第１の例を示す半部の断面図である。
【図２】本発明の実施の形態に係る電気炊飯器の第２の例を示す半部の要部断面図である。
【符号の説明】
【００４４】
１  鍋
２  本体
２ａ  内装ケース
３  蓋体
４、４ａ、４ｂ、４ｃ、４ｄ、４ｅ  発熱体
５、５ａ、５ｂ  加熱コイル
６、６ａ、６ｂ、６ｃ、６ｄ  加熱源
７  放熱板
８、１４  ヒータ
９  温度センサ
【図１】
0005266853.tif 000002
【図２】
0005266853.tif 000003